(57)【要約】  少なくとも一態様において、本発明は、コネクタハウジング内に電気接触端子を位置づけ保持するベース部と、ベース部から上方に延在し、且つ、導電体を受容して導電体と電気接触する開口部を間に画定する一対の離間配置されたアームを備える、絶縁変位接続部と、ベース部から下方に延在し、且つ、電気接触端子がコネクタハウジング内に保持及び配置されているときに浮かぶように構成される、接触部と、を含む、電気接触端子を提供する。接触部は、第１アームと、第２アームと、弓形ベース部と、を含む。第１アームは、下方に延在し、ベース部に取り付けられた第１端及び反対側の第２端を含む。第２アームは下方に延在し、ベース部により近い自由な第１端及びベース部からより遠い反対側の第２端を含む。第２アームは、嵌合式コンタクトピンと電気接触するときに撓むように構成される。弓形ベース部は、第１アームの第２端と第２アームの第２端とを接続する。【選択図】図５ａ
2015511379.tif 000002
【特許請求の範囲】
【請求項１】
電気接触端子であって、
コネクタハウジング内に前記電気接触端子を位置づけ、保持するためのベース部と、
前記ベース部から上方に延在し、且つ、導電体を受容して導電体と電気接触するための開口部を間に画定する一対の離間配置されたアームを備えている、絶縁変位接続部と、
前記ベース部から下方に延在し、且つ、前記電気接触端子がコネクタハウジング内に保持及び配置されているときに浮かぶように構成された、接触部と、を備え、前記接触部が、
前記ベース部に取り付けられた第１端、及び反対側の第２端を含む、下方に延在している第１アームと、
前記ベース部により近い自由な第１端、及び前記ベース部からより遠い反対側の第２端を含む、下方に延在している第２アームであり、嵌合式コンタクトピンと電気接触するときに撓むように構成されている第２アームと、
前記第１アームの前記第２端と前記第２アームの前記第２端とを接続する弓形ベース部と、を備えている、電気接触端子。
【請求項２】
前記第１アーム及び前記弓形ベース部の少なくとも一方が、前記第２アームが嵌合式コンタクトピンと電気接触するときに撓むように構成されている、請求項１に記載の電気接触端子。
【請求項３】
前記撓みが、前記第１アームの長手方向軸線の周りの回転を含む、請求項２に記載の電気接触端子。
【請求項４】
前記第２アームの幅が、前記第２アームの前記第２端から前記第２アームの前記自由な第１端まで先細になっている、請求項１に記載の電気接触端子。
【請求項５】
前記第１アームと前記第２アームが同一平面内に位置していない、請求項１に記載の電気接触端子。
【請求項６】
嵌合式コンタクトピンと接触するときに前記第２アームが撓むと、その撓みが、前記第１アームまで拡がる応力分布を生成する、請求項１に記載の電気接触端子。
【請求項７】
前記応力分布が、約０ｐｓｉ〜約１６５Ｋｐｓｉ（約０ＭＰａ〜約１１３７．６ＭＰａ）の範囲である、請求項６に記載の電気接触端子。
【請求項８】
前記応力分布が、約２５Ｋｐｓｉ〜約１６５Ｋｐｓｉ（約１７２．４ＭＰａ〜約１１３７．６ＭＰａ）の範囲である、請求項６に記載の電気接触端子。
【請求項９】
前記接触部がＪ形である、請求項１に記載の電気接触端子。
【請求項１０】
前記接触部がＵ形である、請求項１に記載の電気接触端子。
【請求項１１】
前記接触部が、降伏せずに約２５０グラム（２．５Ｎ）の垂直力に耐え得る、請求項１に記載の電気接触端子。
【請求項１２】
前記第２アームが、前記自由な第１端に位置づけられた曲線状接触部を含む、請求項１に記載の電気接触端子。
【請求項１３】
前記接触部が前記ベース部に背を向けている、請求項１２に記載の電気接触端子。
【請求項１４】
前記第２アームが、前記第２アームの剛性を増すように構成されたリブを含む、請求項１に記載の電気接触端子。
【請求項１５】
前記第２アームが、嵌合式コンタクトピンと電気接触するときに前記ベース部の主面に向かって撓むように構成される、請求項１に記載の電気接触端子。
【請求項１６】
前記ベース部が、コネクタハウジング内に前記電気接触端子を保持し位置づけるように構成された第１保持部を含む、請求項１に記載の電気接触端子。
【請求項１７】
前記第１保持部がシェル形状部を含む、請求項１６に記載の電気接触端子。
【請求項１８】
前記第１保持部が、前記電気接触端子の第１主面から延在し、コネクタハウジング内に前記電気接触端子を保持し長手方向に位置づけるように構成される、請求項１６に記載の電気接触端子。
【請求項１９】
前記第１保持部が、前記導電体の終端中に前記電気接触端子の下向きの移動を防止するように構成される、請求項１６に記載の電気接触端子。
【請求項２０】
前記ベース部が、コネクタハウジング内に前記電気接触端子を保持し位置づけるように構成された第２保持部を含む、請求項１に記載の電気接触端子。
【請求項２１】
前記第２保持部が楔形状部を含む、請求項２０に記載の電気接触端子。
【請求項２２】
前記第２保持部が、前記ベース部の側面から延在し、コネクタハウジング内に前記電気接触端子を保持し横方向に位置づけるように構成される、請求項２０に記載の電気接触端子。
【請求項２３】
前記第１アームが、コネクタハウジング内に前記電気接触端子を保持し位置づけるように構成された第３保持部を含む、請求項１に記載の電気接触端子。
【請求項２４】
前記第３保持部が曲面部を含む、請求項２３に記載の電気接触端子。
【請求項２５】
前記第３保持部が、前記電気接触端子の第２主面から延在し、コネクタハウジング内に前記電気接触端子を保持し横方向に位置づけるように構成される、請求項２３に記載の電気接触端子。
【請求項２６】
前記第１アームと前記ベース部が同一平面内に位置していない、請求項１に記載の電気接触端子。
【請求項２７】
前記第２アームが、前記自由な第１端に位置づけられた曲線状接触部を含む、請求項２６に記載の電気接触端子。
【請求項２８】
前記接触部が前記ベース部の方を向いている、請求項２７に記載の電気接触端子。
【請求項２９】
前記第２アームが、嵌合式コンタクトピンと電気接触するときに前記ベース部の主面から離れて撓むように構成される、請求項２６に記載の電気接触端子。
【請求項３０】
電気接触端子であって、
ベース部と、
前記ベース部から上方に延在し、且つ、導電体を受容して導電体と電気接触するための開口部を間に画定する一対の離間配置されたアームを備えている、絶縁変位接続部と、
前記ベース部から下方に延在し、且つ、前記電気接触端子がコネクタハウジング内に保持及び配置されているときに浮かぶように構成されている、接触部と、を備え、前記接触部が、
前記ベース部に取り付けられている前記接触部の第１端で前方に延在している、第１アームと、
前記接触部の反対側の第２端で前方に延在している第２アームと、を備え、
前記第１アーム及び前記第２アームは、嵌合式コンタクトピンと電気接触するときに撓むように構成されている、電気接触端子。
【請求項３１】
前記第１アーム及び前記第２アームが、前記接触部の互いに反対側の側面に延在している、請求項３０に記載の電気接触端子。
【請求項３２】
前記第１アーム及び前記第２アームがそれぞれ、それぞれの主面から延在している曲線状接触部を含む、請求項３０に記載の電気接触端子。
【請求項３３】
前記接触部が、前記第１アーム及び前記第２アームから互いに向かって延在している、請求項３２に記載の電気接触端子。
【発明の詳細な説明】
【技術分野】
【０００１】
（関連出願の相互参照）
本出願は、米国特許仮出願第６１／５９６０３２号（２０１２年２月７日出願）の利益を主張する。
【０００２】
（発明の分野）
本開示は、一般的に、プリント回路基板と、そのプリント回路基板への又はそのプリント回路基板からの信号を伝搬する電気ケーブルと、の間でなされる相互接続に関する。より具体的には、本開示は、これらの相互接続を容易にする電気コネクタシステムに関し、このシステムは、プリント回路基板との組み立てのための電気コネクタと、電気ケーブルへの組み立てのための嵌合式電気コネクタと、を含む。
【背景技術】
【０００３】
プリント回路基板と電気ケーブルとの間の相互接続は、当該技術分野において既知である。そのような相互接続を形成することは、特に信号線密度が比較的低いときは、典型的には、困難ではない。相互接続のサイズに対するユーザーの要求が高まるにつれ、物理的な大きさという条件において十分に機能し得る相互接続の設計及び製造は、より困難になってきている。
【０００４】
相互接続のサイズを縮小する典型的な方法は、コンタクトピッチと典型的に呼ばれる、接触子同士の間隔を縮小することである。例えば、０．１００”（２．５４ｍｍ）ピッチの相互接続と比較すると、０．０５０”（１．２７ｍｍ）ピッチの相互接続は、半分のスペースで同数の電気的接続（すなわち、接触子）を提供することができる。しかし、より小さいピッチの相互接続という典型的な解決策は、より大きいピッチの相互接続を単に小規模化した型式にすぎない。これらの小規模化された型式は、典型的には、例えば、ラッチ／排出機構又はケーブルストレインリリーフなどの追加的構成要素が含まれる場合は特に、コンタクトピッチに対して全体的に大きい相互接続サイズを有し、機械的及び電気的な信頼性の問題が生じ易く、特定のエンドユーザーの必要性に対応するためのカスタマイゼーションは、制限的に提供されているか又は欠如している。
【発明の概要】
【発明が解決しようとする課題】
【０００５】
したがって、従来のコネクタシステムの欠点を克服し得る電気コネクタシステムに対する必要性が、当該技術分野に存在する。
【課題を解決するための手段】
【０００６】
少なくとも一態様において、本発明は、コネクタハウジング内に電気接触端子を位置づけ、保持するためのベース部と、ベース部から上方に延在し、且つ、導電体を受容して導電体と電気接触するための開口部を間に画定する一対の離間配置されたアームを備えている、絶縁変位接続部と、ベース部から下方に延在し、且つ、電気接触端子がコネクタハウジング内に保持及び配置されているときに浮かぶように構成された、接触部と、を含む、電気接触端子を提供する。接触部は、第１アームと、第２アームと、弓形ベース部と、を含む。第１アームは、下方に延在し、ベース部に取り付けられた第１端、及び反対側の第２端を含む。第２アームは、下方に延在し、ベース部により近い自由な第１端、及びベース部からより遠い反対側の第２端を含む。第２アームは、嵌合式コンタクトピンと電気接触するときに撓むように構成されている。弓形ベース部は、第１アームと第２アームの第２端とを接続する。
【０００７】
少なくとも一態様において、本発明は、ベース部と、ベース部から上方に延在し、且つ、導電体を受容して導電体と電気接触するための開口部を間に画定する一対の離間配置されたアームを備えている、絶縁変位接続部と、ベース部から下方に延在し、且つ、電気接触端子がコネクタハウジング内に収容及び配置されているときに浮かぶように構成された接触部と、を含む、電気接触端子を提供する。接触部は、第１アーム及び第２アームを含む。第１アームは、ベース部に取り付けられた接触部の第１端で前方に延在している。第２アームは、接触部の反対側の第２端で前方に延在している。第１アーム及び第２アームは、嵌合式コンタクトピンと電気接触しているときに撓むように構成される。
【０００８】
上記の本発明の課題を解決するための手段は、本発明の開示されるそれぞれの実施形態、又は本発明のすべての実施を説明することを目的としたものではない。本発明の１つ以上の実施形態の詳細を添付の図面及び以下の説明において示す。本発明の他の特徴、目的、及び利点は、説明及び図面、並びに特許請求の範囲から明らかとなるであろう。
【図面の簡単な説明】
【０００９】
【図１】本発明の一態様による電気コネクタシステムの代表的な実施形態を嵌合されていない構成で示す斜視図である。
【図２】本発明の一態様による電気コネクタシステムの代表的な実施形態を嵌合した構成で示す斜視図である。
【図３】本発明の一態様による嵌合式電気コネクタの代表的な実施形態の分解斜視図である。
【図４ａ】それぞれ、本発明の一態様によるコネクタハウジングの代表的な実施形態の正面図、側面図、上面図、及び底面図である。
【図４ｂ】それぞれ、本発明の一態様によるコネクタハウジングの代表的な実施形態の正面図、側面図、上面図、及び底面図である。
【図４ｃ】それぞれ、本発明の一態様によるコネクタハウジングの代表的な実施形態の正面図、側面図、上面図、及び底面図である。
【図４ｄ】それぞれ、本発明の一態様によるコネクタハウジングの代表的な実施形態の正面図、側面図、上面図、及び底面図である。
【図４ｅ】それぞれ、本発明の一態様によるコネクタハウジングの代表的な実施形態の正面図、側面図、上面図、及び底面図である。
【図５ａ】それぞれ、本発明の一態様による電気接触端子の代表的な実施形態の斜視図、側面図、及び正面図である。
【図５ｂ】それぞれ、本発明の一態様による電気接触端子の代表的な実施形態の斜視図、側面図、及び正面図である。
【図５ｃ】それぞれ、本発明の一態様による電気接触端子の代表的な実施形態の斜視図、側面図、及び正面図である。
【図６ａ】それぞれ、本発明の一態様による電気接触端子の別の代表的な実施形態の斜視図、側面図、及び正面図である。
【図６ｂ】それぞれ、本発明の一態様による電気接触端子の別の代表的な実施形態の斜視図、側面図、及び正面図である。
【図６ｃ】それぞれ、本発明の一態様による電気接触端子の別の代表的な実施形態の斜視図、側面図、及び正面図である。
【図７ａ】それぞれ、本発明の一態様による電気接触端子の別の代表的な実施形態の斜視図、側面図、及び正面図である。
【図７ｂ】それぞれ、本発明の一態様による電気接触端子の別の代表的な実施形態の斜視図、側面図、及び正面図である。
【図７ｃ】それぞれ、本発明の一態様による電気接触端子の別の代表的な実施形態の斜視図、側面図、及び正面図である。
【図８ａ】それぞれ、本発明の一態様によるコネクタハウジング内において組み立てられた複数の電気接触端子の代表的な実施形態の斜視図及び断面図である。
【図８ｂ】それぞれ、本発明の一態様によるコネクタハウジング内において組み立てられた複数の電気接触端子の代表的な実施形態の斜視図及び断面図である。
【図９ａ】それぞれ、本発明の一態様によるカバーの代表的な実施形態の正面図、側面図、上面図、及び底面図である。
【図９ｂ】それぞれ、本発明の一態様によるカバーの代表的な実施形態の正面図、側面図、上面図、及び底面図である。
【図９ｃ】それぞれ、本発明の一態様によるカバーの代表的な実施形態の正面図、側面図、上面図、及び底面図である。
【図９ｄ】それぞれ、本発明の一態様によるカバーの代表的な実施形態の正面図、側面図、上面図、及び底面図である。
【図９ｅ】それぞれ、本発明の一態様によるカバーの代表的な実施形態の正面図、側面図、上面図、及び底面図である。
【図１０ａ】それぞれ、開位置及び閉位置における、組み立てられるように整列された本発明の一態様によるカバーとコネクタハウジングの代表的な実施形態の部分斜視図である。
【図１０ｂ】それぞれ、開位置及び閉位置における、組み立てられるように整列された本発明の一態様によるカバーとコネクタハウジングの代表的な実施形態の部分斜視図である。
【図１０ｃ】それぞれ、開位置及び閉位置における、組み立てられるように整列された本発明の一態様によるカバーとコネクタハウジングの代表的な実施形態の部分斜視図である。
【図１１ａ】それぞれ、本発明の一態様によるストレインリリーフの代表的な実施形態の斜視図及び上面図である。
【図１１ｂ】それぞれ、本発明の一態様によるストレインリリーフの代表的な実施形態の斜視図及び上面図である。
【図１２】本発明の一態様によるストレインリリーフの別の代表的な実施形態の斜視図である。
【図１３】組み立てられた構成における本発明の一態様によるストレインリリーフとコネクタハウジングの代表的な実施形態の側面図である。
【図１４】本発明の一態様による電気コネクタの代表的な実施形態の分解斜視図である。
【図１５】本発明の一態様による電気コネクタの代表的な実施形態の斜視図である。
【図１６ａ】それぞれ、本発明の一態様によるコネクタハウジングの代表的な実施形態の斜視図、正面図、側面図、上面図、及び底面図である。
【図１６ｂ】それぞれ、本発明の一態様によるコネクタハウジングの代表的な実施形態の斜視図、正面図、側面図、上面図、及び底面図である。
【図１６ｃ】それぞれ、本発明の一態様によるコネクタハウジングの代表的な実施形態の斜視図、正面図、側面図、上面図、及び底面図である。
【図１６ｄ】それぞれ、本発明の一態様によるコネクタハウジングの代表的な実施形態の斜視図、正面図、側面図、上面図、及び底面図である。
【図１６ｅ】それぞれ、本発明の一態様によるコネクタハウジングの代表的な実施形態の斜視図、正面図、側面図、上面図、及び底面図である。
【図１７ａ】それぞれ、本発明の一態様によるラッチの代表的な実施形態の斜視図、側面図、及び上面図である。
【図１７ｂ】それぞれ、本発明の一態様によるラッチの代表的な実施形態の斜視図、側面図、及び上面図である。
【図１７ｃ】それぞれ、本発明の一態様によるラッチの代表的な実施形態の斜視図、側面図、及び上面図である。
【図１８】本発明の一態様による電気コネクタシステムの代表的な実施形態を嵌合した構成で示す断面図である。
【図１９ａ】本発明の一態様によるストレインリリーフの代表的な実施形態における最大応力を図示するグラフである。
【図１９ｂ】本発明の一態様によるストレインリリーフの代表的な実施形態における最大応力を図示するグラフである。
【発明を実施するための形態】
【００１０】
以下の好適な実施形態の詳細な説明では、その一部をなす添付の図面を参照する。添付の図面は、本発明を実施することが可能な具体的な実施形態を例として示す。他の実施形態の使用も可能であり、また本発明の範囲から逸脱することなく、構造上又は論理上の変更を行い得る点は理解されるであろう。したがって、以下の詳細な説明は限定的な意味で解釈されるべきものではなく、本発明の範囲は添付の特許請求の範囲によって定義されるものである。
【００１１】
図の実施形態において、本出願の様々な要素の構造及び動きを説明するために使用されている上、下、左、右、前、後などの方向の表現は相対的なものである。これらの表現は、それらの要素がそれらの図中で示されている位置にあるときに当てはまるものである。しかし、要素の位置の説明が変われば、それに応じてこれらの表現も変わるものと想定される。それらの図を通し一貫して、同様の参照番号は同様の部品を表す。
【００１２】
本発明の態様による電気コネクタシステムの代表的な実施形態は、従来のコネクタシステムを上回る多くの利点を有する。利点としては、数例を挙げると、１）縮小された空間でのカバーとストレインリリーフの組み立てを可能にするように、案内要素、位置づけ要素、及び固定要素を含む嵌合式電気コネクタ（いくつかの実施形態では「ソケット」又は「ワイヤマウント電気コネクタ」と呼ばれる場合がある）のコネクタハウジング、２）コネクタの全高を低くすることを可能にするように、所与の接触子の高さに対してより長いばねビームの長さ、より少ない局所応力、及びより大きいばね力を提供する電気接触端子、３）最小限のコネクタ空間を占有しながら嵌合式電気コネクタのコネクタハウジングに組み立てることを可能にするように、案内要素、位置づけ要素、及び固定要素を含むカバー、４）最小限のコネクタ空間を占有しながら嵌合式電気コネクタのコネクタハウジングに組み立てることを可能にするように、案内要素、位置づけ要素、及び固定要素を含むストレインリリーフ、５）嵌合式電気コネクタを見ないで嵌合することを可能にし、コンタクトピッチに対して有意に低減されたコネクタ全体のサイズを有する、電気コネクタ（いくつかの実施形態では、「ヘッダ」又は「ボードマウント電気コネクタ」と呼ばれる場合がある）のコネクタハウジング、及び６）嵌合式電気コネクタを電気コネクタのコネクタハウジングに確実にラッチすること及びストレインリリーフの有無に関わらずコネクタハウジングから嵌合式電気コネクタを排出することの両方が可能なラッチであり、コンタクトピッチに対するコネクタ全体のサイズを最小限にするためにコネクタハウジングと一体化されるラッチ、などが挙げられる。更なる利点が、本明細書を通して説明される。
【００１３】
本明細書に記載の電気コネクタシステムの代表的実施形態の原理及び要素並びにそれらの変化形態は、より小さく、より高い信頼性で、且つ、より低コストで電気コネクタシステムを製造することを可能にする。これらの原理及び要素は、数例を挙げると、例えば、２．０ｍｍ、０．０５０”（１．２７ｍｍ）、１．０ｍｍ、０．８ｍｍ、及び０．５ｍｍのピッチのワイヤ・ツー・ボードソケット並びにヘッダなどの任意の好適な電気コネクタシステムに適用することができる。
【００１４】
ここで図を参照すると、図１〜２は、嵌合されていない構成（図１）及び嵌合した構成（図２）における、本発明の一態様による電気コネクタシステムの代表的な実施形態を示す。この電気コネクタシステムは、電気コネクタ２（いくつかの実施形態で「ヘッダ」又は「ボードマウント電気コネクタ」と呼ばれる場合がある）と嵌合するように構成された嵌合式電気コネクタ１（いくつかの実施形態で「ソケット」又は「ワイヤマウント電気コネクタ」と呼ばれる場合がある）を含む。図３は、本発明の一態様による嵌合式電気コネクタの代表的な実施形態を示す。図３を参照すると、嵌合式電気コネクタ１は、絶縁コネクタハウジング１００と、コネクタハウジング１００内で支持されている複数の電気接触端子２００と、コネクタハウジング１００に取り付けられるカバー３００と、を含む。少なくとも一実施形態では、嵌合式電気コネクタ１は、コネクタハウジング１００に取り付けられるストレインリリーフ５００を更に含む。
【００１５】
図４ａ〜４ｅは、本発明の一態様によるコネクタハウジングの代表的な実施形態を示している。図４ａ〜４ｅを参照すると、絶縁コネクタハウジング１００は、挿入方向Ａでその内部に延在している複数の接触開口部１０４を有する長手方向の本体部１０２を含む。接触開口部１０４は、例えば、電気接触端子２００（図５ａ〜５ｃ）のような電気接触端子を複数支持するように構成される。少なくとも一実施形態では、各接触開口部１０４は、本体部１０２を通じて延在しているコンタクトピン受容部１２２と、コンタクトピン受容部１２２に隣接する接触保持部１２４と、を含む。コンタクトピン受容部１２２は、例えば、電気コネクタ２の電気コンタクトピン７００のような、嵌合式コネクタの電気コンタクトピンを受容するように構成される。接触保持部１２４は、電気接触端子を保持するように構成される。少なくとも一実施形態では、接触保持部１２４は、電気接触端子を保持するように構成される棚部１２６を含む。棚部１２６は、例えば、導電体を電気接触端子に終端中に下向きの電気接触端子の移動を防止するように構成される。接触保持部１２４の設計及び場所は、接触の保持に使用される空間を最小限にすることにより、最小化されたコネクタ設計を可能にする。
【００１６】
絶縁コネクタハウジング１００は、挿入方向Ａで本体部１０２の両端１０２ａ、１０２ｂから延在している両端部の第１の対及び第２の対１０６、１０８を更に含む。端部１０６、１０８は、最小限の空間を占有しながら、カバー（例えば、図３及び図１０ａ〜１０ｃを参照）及びストレインリリーフ（例えば、図３及び図１３を参照）を有効に案内し、位置づけ、保持するように構成され、それにより、最小化されたコネクタ設計を可能にする。少なくとも一実施形態では、端部１０６、１０８は、本体部１０２の上面１２８を超えて延在している。上面１２８を超えて延在する端部１０６、１０８は、カバーとストレインリリーフとの整列を容易にする。それはまた、嵌合式コネクタの電気コンタクトピンがコネクタハウジング１００と係合する前の、嵌合式コネクタのコネクタハウジングの整列もまた容易にして、嵌合中に電気コンタクトピンを損傷するリスクをほとんど伴わずに、嵌合式コネクタを見ないで嵌合することを可能にする。
【００１７】
少なくとも一実施形態では、端部１０６、１０８のそれぞれは、その端部１０６ａ、１０８ａでそこから横方向に延在しているフランジ１３０を含む。フランジ１３０は、例えば、嵌合及び取り外しの間に、コネクタハウジング１００を容易に取り扱うことを可能にする。例えば、嵌合式電気コネクタ１を電気コネクタから容易に取り外すことを可能にするために、フランジ１３０を人の指と親指との間で把持することができる。少なくとも一実施形態では、フランジ１３０は、例えば、個別の導電体又は例えば、電気ケーブル４００（図１）の導電体４０２のような、電気ケーブルの一部である導電体など、導電体の係合に適応するように構成された導電体挿入案内面１３２を含む。導電体挿入案内面１３２は、不整合な導電体の終端を減らし、導電体の終端速度を高めるように、（コネクタハウジング１００の長さに沿った）幅方向において、導電体を案内するように構成される。
【００１８】
少なくとも一実施形態では、端部１０６、１０８は、導電体を支持するように構成された対向する導電体支持面１３４を含む。少なくとも一態様では、導電体支持面１３４は、従来のリボンケーブルコネクタに一般的な外側導電体での高抵抗の故障をなくすように、リボンケーブルの外側導電体を確実に支持するように構成される。
【００１９】
対向する端部１０６、１０８のそれぞれの対の少なくとも１つの端部は、挿入方向Ａで延在している隆起部１１０を含む。隆起部１１０は、隆起部１１０の側面１１２に沿って、例えば、カバー３００の第１及び第２のカバーラッチ３０４、３０６（図９ａ〜９ｅ）のようなカバーラッチを案内し、隆起部１１０の反対側の側面１１４に沿って、例えば、ストレインリリーフ５００の第１及び第２のストレインリリーフラッチ５０６（図１１ａ〜１１ｂ）のようなストレインリリーフラッチを案内するように構成される。図４ａに最も良く図示されているように、隆起部１１０は、カバーラッチを弾力的に撓ませるための傾斜した上面１１６、及びストレインリリーフラッチを弾力的に撓ませるための傾斜した側面１１８を有する。少なくとも一実施形態では、傾斜した上面１１６は、開位置でのカバーの位置づけに適応するように構成される。隆起部１１０は、カバーラッチ及びストレインリリーフラッチ上にラッチするための端部１２０を更に有する。少なくとも一実施形態では、端部１２０は、例えば、図１０ｃに示すように、閉位置でのカバーの保持に適応するように構成される。少なくとも一実施形態では、端部１２０は、例えば、図１３に示すように、ストレインリリーフの保持に適応するように構成される。
【００２０】
少なくとも一実施形態では、両端部１０６、１０８のそれぞれの対の少なくとも１つの端部は、弾力的に撓んでカバーラッチにラッチするためのキャッチ部１３６を含む。少なくとも一実施形態では、キャッチ部１３６は、例えば、図１０ｂに示すように、開位置でのカバーの保持に適応するように構成される。
【００２１】
少なくとも一実施形態では、本体部１０２は、挿入方向Ａに対して垂直の横方向に延在している複数の導電体溝１４２をその上面１２８に更に含む。導電体溝１４２は、導電体に適応するように構成される。少なくとも一実施形態では、導電体溝１４２は、導電体の断面形に実質的に対応する断面形を有する。
【００２２】
少なくとも一実施形態では、本体部１０２は、その側面１４６に配置されている方向付け要素１４４を更に含む。方向付け要素１４４は、例えば、コネクタハウジング６００（図１６ａ〜１６ｅ）の方向付け開口部６２８のような嵌合式コネクタの方向付け開口部と係合するように構成される。方向付け要素１４４は、挿入方向Ａで延在している、より高い隆起部１４８を含む。より高い隆起部１４８は、方向付け開口部内に配置されるように構成される。方向付け要素１４４と方向付け開口部との組み合わせは、嵌合式電気コネクタ１が、嵌合式コネクタに誤って嵌合されること（すなわち、挿入方向Ａの周囲で１８０度回転すること）を防ぐ。少なくとも一実施形態では、方向付け要素１４４は、挿入方向Ａで延在している、より短い隆起部１５０を更に含む。より短い隆起部１５０は、例えば、コネクタハウジング６００（図１６ａ〜１６ｅ）の内面６５２のような嵌合式コネクタの表面と摩擦係合するように構成される。少なくとも一態様では、これは、嵌合式電気コネクタ１を嵌合式コネクタに確実に取り付けることを可能にするものであり、これは、分離したラッチ／排出機構がない場合に特に有用である。方向付け要素１４４は、本体部１０２のいずれかの側の任意の好適な場所にあってよい。
【００２３】
少なくとも一実施形態では、電気コネクタ１は、接触開口部１０４において支持される複数の電気接触端子を更に含む。図５ａ〜５ｃは、本発明の態様による電気接触端子の代表的な実施形態を示している。図５ａ〜５ｃを参照すると、電気接触端子２００は、ベース部２０２と、絶縁変位接続（ＩＤＣ）部２０４と、接触部２１０と、を含む。ベース部２０２は、例えば、コネクタハウジング１００のようなコネクタハウジング内に電気接触端子２００を位置づけ、保持するように構成される。ＩＤＣ部２０４は、ベース部２０２から上方に延在し、且つ、導電体を受容して導電体と電気接触するための開口部２０８を間に画定する一対の離間配置されたアーム２０６を含む。接触部２１０は、ベース部２０２から下方に延在し、且つ、電気接触端子２００がコネクタハウジング内に保持及び配置されているときに浮かぶように構成される。接触部２１０の設計及び浮かぶ構成は、所与の全体の接触高に対して、より長いばねビームの長さ、より少ない局所応力、及びより大きいばね力を提供し、コネクタの全高をより低くすることを可能にする。例えば、少なくとも一実施形態では、本体部１０２は約３ｍｍ未満の高さを有する。
【００２４】
接触部２１０は、第１アーム２１２と、第２アーム２１４と、弓形ベース部２１６と、を含む。第１アーム２１２は下方に延在し、ベース部２０２に取り付けられた第１端（２１２ａ）及びその反対側の第２端２１２ｂを含む。第２アーム２１４は下方に延在し、ベース部２０２により近い自由な第１端２１４ａ及びベース部２０２からより遠い反対側の第２端２１４ｂを含む。第２アーム２１４は、例えば、電気コネクタ２（図１４）の電気コンタクトピン７００のような嵌合式コンタクトピンと電気接触するときに撓むように構成される。弓形ベース部２１６は、第１アーム２１２の第２端２１２ｂと第２アーム２１４の第２端２１４ｂとを接続している。少なくとも一実施形態では、第１アーム２１２及び弓形ベース部２１６の少なくとも一方は、第２アーム２１４が嵌合式コンタクトピンと電気接触するときに撓むように構成されている。第１アーム２１２及び弓形ベース部２１６の少なくとも一方のこの構成は、接触ばねビームの有効長に加わる。少なくとも一実施形態では、撓みは、第１アーム２１２の長手方向軸Ｌの周囲の回転を含む。少なくとも一実施形態では、第２アーム２１４の幅Ｗは、第２アーム２１４の第２端２１４ｂから第２アーム２１４の自由な第１端２１４ａまで先細になっている。第２アーム２１４のこの先細になっている構成は、接触部２１０が降伏せずに所望の垂直力に耐える能力を支援する。少なくとも一実施形態では、接触部２１０は、降伏せずに約２５０グラム（２．５Ｎ）の垂直力に耐えることができる。少なくとも一実施形態では、第１アーム２１２と第２アーム２１４は同一平面内に位置していない。少なくとも一実施形態では、嵌合式コンタクトピンと接触するときに第２アーム２１４が撓むと、その撓みが、第１アーム２１２まで拡がる応力分布を生成する。少なくとも一実施形態において、応力分布は、約０ｐｓｉ〜約１６５Ｋｐｓｉ（約０ＭＰａ〜約１１３７．６ＭＰａ）の範囲である。少なくとも一実施形態において、応力分布は、約２５Ｋｐｓｉ〜約１６５Ｋｐｓｉ（約１７２．４ＭＰａ〜約１１３７．６ＭＰａ）の範囲である。少なくとも一実施形態において、接触部２１０はＪ形である。少なくとも一実施形態において、接触部２１０はＵ形である。少なくとも一実施形態において、第２アーム２１４は、第２アーム２１４の自由な第１端２１４ａに位置づけられた曲線状接触部２３６を含む。図の実施形態において、曲線状接触部２３６は、第２アーム２１４の湾曲した端によって画定されている。あるいは、曲線状接触部２３６は、例えば、第２アーム２１４から延びるヘルツバンプなど、図示したものと別の形体であってもよい。例えば、図５ａ〜５ｃに図示した実施形態など、少なくとも一実施形態において、接触部２３６は、ベース部２０２に背を向けている。少なくとも一実施形態では、第２アーム２１４は、第２アーム２１４の剛性を増すように構成されたリブ２４０を含む。少なくとも一実施形態では、第２アーム２１４は、嵌合式コンタクトピンと電気接触すると、ベース部２０２の主面Ｐの方に向かって撓むように構成される。少なくとも一態様では、電気接触端子２００がコネクタハウジング１００の接触開口部１０４に組み立てられると、図８ａに最も良く図示されているように、第２アーム２１４は接触開口部１０４のコンタクトピン受容部１２２内に配置される。したがって、第２アーム２１４は、コンタクトピン受容部１２２によって受容される嵌合式コンタクトピンと電気接触すると撓む。
【００２５】
少なくとも一実施形態では、電気接触端子２００は、それぞれ、コネクタハウジング１００の接触開口部１０４に電気接触端子２００を保持するために、少なくとも１つの保持部を含む。保持部は、例えば、電気接触端子を導電体へ終端中に、電気接触端子２００が挿入方向Ａで移動するのを防止するように構成され得る。保持部は、例えば、接触部２１０の少なくとも一部と接触開口部１０４の側壁との干渉を防止するために、挿入方向Ａに対して横方向に電気接触端子２００が移動するのを防止するように構成され得る。
【００２６】
少なくとも一実施形態では、ベース部２０２は、電気接触端子２００をコネクタハウジング内に保持し、位置づけるように構成される第１保持部２１８を含む。少なくとも一実施形態では、第１保持部２１８は、導電体の終端中の電気接触端子２００の下向きの移動を防止するように構成される。少なくとも一実施形態では、第１保持部２１８は、シェル形状部２２２を含む。少なくとも一態様では、電気接触端子２００が、コネクタハウジング１００の接触開口部１０４に組み付けられると、図８ｂに最も良く図示されているように、シェル形状部２２２は接触開口部１０４の棚部１２６上に配置される。そのようにして、シェル形状部２２２と棚部１２６との組み合わせは、例えば、導電体を電気接触端子へ終端中に、電気接触端子２００が挿入方向Ａで移動するのを防止する。少なくとも一実施形態では、第１保持部２１８は、電気接触端子２００の第１主面２２６から延在し、且つ、電気接触端子２００をコネクタハウジング内に保持し、長手方向に位置づけるように構成される。
【００２７】
少なくとも一実施形態では、ベース部２０２は、電気接触端子２００をコネクタハウジング内に保持し、位置づけるように構成される第２保持部２２０を含む。少なくとも一実施形態では、第２保持部２２０は、ベース部２０２の側面２２８から延在し、且つ、電気接触端子２００をコネクタハウジング内に保持し、横方向に位置づけるように構成される。少なくとも一実施形態では、第２保持部２２０は、楔形状部２２４を含む。少なくとも一態様では、電気接触端子２００がコネクタハウジング１００の接触開口部１０４に組み付けられると、楔形状部２２４は、接触開口部１０４の接触保持部１２４に配置され、締まり嵌め又はプレス嵌めを提供する。そのようにして、楔形状部２２４と保持部１２４との組み合わせは、電気接触端子２００をコネクタハウジング１００に保持し、横方向に位置づける。
【００２８】
少なくとも一実施形態では、第１アーム２１２は、電気接触端子２００をコネクタハウジング内に保持し、位置づけるように構成される第３保持部２３０を含む。少なくとも一実施形態では、第３保持部２３０は、電気接触端子２００の第２主面２３４から延在し、且つ、電気接触端子２００をコネクタハウジング内に保持し、横方向に位置づけるように構成される。少なくとも一実施形態では、第３保持部２３０は曲面部２３２を含む。少なくとも一態様では、電気接触端子２００がコネクタハウジング１００の接触開口部１０４に組み付けられると、図８ｂに最も良く図示されているように、曲面部２３２は、接触開口部１０４の接触保持部１２４に配置され、締まり嵌め又はプレス嵌めを提供する。したがって、曲面部２３２と保持部１２４との組み合わせは、電気接触端子２００をコネクタハウジング１００に保持し、横方向に位置づける。
【００２９】
図６ａ〜６ｃは、本発明の一態様による電気接触端子の別の代表的な実施形態を示している。図６ａ〜６ｃを参照すると、電気接触端子２００’は、電気接触端子２００と類似している。図６ａ〜６ｃにおいて、電気接触端子２００の要素と類似している電気接触端子２００’の要素は、同じ番号を有するが、電気接触端子２００’とのそれらの関係を示すために、プライム記号（’）が付されている。電気接触端子２００’において、第１アーム２１２’とベース部２０２’は、同一平面内に位置していない。少なくとも一実施形態において、第２アーム２１４’は、第２アーム２１４’の自由な第１端２１４ａ’に位置づけられた曲線状接触部２３６’を含む。少なくとも一実施形態では、接触部２３６’はベース部２０２’の方を向いている。少なくとも一態様では、嵌合式コネクタの電気コンタクトピンは、電気コネクタ１と嵌合式コネクタとが嵌合された構成にあるとき、ベース部２０２’と第２アーム２１４’との間に位置づけられる。少なくとも一実施形態では、第２アーム２１４’は、嵌合式コンタクトピンと電気接触すると、ベース部２０２の主面Ｐ’から離れる方向に撓むように構成される。少なくとも一態様では、この電気接触端子の構成は、コネクタハウジング１００の本体部１０２の外壁上で、より少ない空間を必要とする。
【００３０】
図７ａ〜７ｃは、本発明の一態様による電気接触端子の代表的な実施形態を示している。図７ａ〜７ｃを参照すると、電気接触端子２００”は、電気接触端子２００と類似している。図７ａ〜７ｃにおいて、電気接触端子２００の要素と類似している電気接触端子２００”の要素は、同じ番号を有するが、電気接触端子２００”とのそれらの関係を示すために、ダブルプライム記号（”）が付されている。電気接触端子は、ベース部２０２”と、ＩＤＣ部２０４”と、接触部２１０”と、を含む。ＩＤＣ部２０４”はベース部２０２”から上方に延在し、且つ、導電体の受け入れ及び導電体と電気接触するための開口部２０８”を間に画定する一対の離間配置されたアーム２０６”を含んでいる。接触部２１０”はベース部２０２”から下方に延在し、且つ、電気接触端子２００”がコネクタハウジング内に保持及び配置されているときに浮かぶように構成される。接触部２１０”は、第１アーム２１２”と第２アーム２１４”とを含む。第１アーム２１２”は、ベース部２０２”に取り付けられた接触部２１０”の第１端２１０ａ”において前方に延在している。第２アーム２１４”は、接触部２１０”の反対側の第２端２１０ｂ”において前方に延在している。第１アーム及び第２アーム２１２”、２１４”は、嵌合式コンタクトピンと電気接触をなしているときに撓むように構成される。少なくとも一実施形態では、第１アーム及び第２アーム２１２”、２１４”は、接触部２１０”の両側２１０ｃ”、２１０ｄ”に延在している。少なくとも一実施形態では、第１アーム及び第２アーム２１２”、２１４”はそれぞれ、その主面２３８”から延在している曲線状接触部２３６”を含む。図の実施形態では、曲線状接触部２３６”は、第１アーム及び第２アーム２１２”、２１４”の曲面端によって画定されている。あるいは、曲線状接触部２３６”は、例えば、第１アーム及び第２アーム２１２”、２１４”から延在するヘルツバンプなど、図示したものと別の形体であってもよい。少なくとも一実施形態では、接触部２３６”は、互いに向かって第１アーム及び第２アーム２１２”、２１４”から延在している。少なくとも一態様では、嵌合式コネクタの電気コンタクトピンは、電気コネクタ１と嵌合式コネクタとが嵌合された構成にあるとき、ベース部第１アームと第２アーム２１２”、２１４”との間に位置づけられる。少なくとも一態様では、第１アーム及び第２アーム２１２”、２１４”は、短いサイドワイピングばねビームを画定する。
【００３１】
少なくとも一実施形態では、電気コネクタ１は、例えば、電気ケーブル４００（図１）の導電体４０２などの少なくとも１つの導電体を、コネクタハウジング内で支持されている対応する電気接触端子に確実に終端するためのカバーを更に含む。カバーは、コネクタハウジングにしっかりと取り付けられたときに終端の保護を提供するように構成される。図９ａ〜９ｅは、本発明の一態様によるカバーの代表的な実施形態を図示し、図１０ａ〜１０ｃは、組み立てのために整列された本発明の一態様によるカバー及びコネクタハウジングの代表的な実施形態を、それぞれ、開位置において、及び閉位置において図示する。
【００３２】
図９ａ〜９ｅを参照すると、電気コネクタのカバー３００は、第１の方向に沿って延在している長手方向の本体部３０２と、第１の方向と異なる第２の方向に、その長手方向の両端３０２ａ、３０２ｂから延在している第１及び第２のカバーラッチ３０４、３０６を含む。少なくとも一態様では、電気コネクタハウジング１００とともにカバー３００を使用するとき、第２の方向は挿入方向Ａと等しい。各カバーラッチ３０４、３０６は、少なくとも１つの隆起部３０８と少なくとも１つの第１キャッチ部３１２とを含む。隆起部３０８は、カバーラッチ３０４、３０６の側面３１０上に配置され、例えば、コネクタハウジング１００の隆起部１１０のようなコネクタハウジングの隆起部に沿ってカバーラッチ３０４、３０６を案内するために、第２の方向に延在している。第１キャッチ部３１２は、コネクタハウジングによって撓まされ、コネクタハウジングに対してカバー３００を固定するようにコネクタハウジングの隆起部と係合するように、本体部３０２から距離を開けてカバーラッチ３０４、３０６の端３０４ａ、３０６ａで側面３１０上に配置される。
【００３３】
少なくとも一実施形態において、コネクタハウジングの隆起部は、カバーラッチ３０４、３０６を弾力的に撓ませるために、例えば、隆起部１１０の傾斜した上面１１６のような傾斜した上面を含む。第１キャッチ部３１２が傾斜した上面と係合すると、カバー３００は、図１０ｂに図示したように、開位置に位置づけられる。傾斜した上面によってカバーラッチ３０４、３０６が弾力的に撓まされると、カバーラッチ３０４、３０６によって生成されたばね力がカバー３００を開位置に保持して、カバー３００が偶発的に閉じるのを防止し、十分な力が付加されるまでは、偶発的なカバーの終端に抵抗する。開位置において、カバー３００は、終端のために導電体又はケーブルがカバー３００とコネクタハウジングとの間に容易に挿入されるように、コネクタハウジングに対して所定の位置に置かれる。少なくとも一態様では、カバー３００を所定の位置に置くことは、電気コネクタ１とともに使用できる典型的な導電体又はケーブルの直径の約３倍の空間を提供して、導電体又はケーブルの容易な挿入を可能にし、電気コネクタ１に導電体又はケーブルを終端し得る速度を増す。少なくとも一態様では、カバー３００は、（長手方向ではなく）横方向に所定の位置に置かれるが、これは、コネクタハウジング及びカバー３００の全長を低減する。例えば、少なくとも一実施形態では、本体部１０２は、約３５ｍｍ未満の長さを有し、少なくとも５０個の接触開口部を含む。
【００３４】
少なくとも一実施形態では、コネクタハウジングの隆起部は、カバーラッチ３０４、３０６にラッチするように、例えば、隆起部１１０の端部１２０のような端部を含む。第１キャッチ部３１２が端部と係合すると、カバー３００は、例えば、図１０ｃに示すように、閉位置に保持される。閉位置において、カバー３００は、コネクタハウジングにしっかりと取り付けられ、終端の保護を提供する。
【００３５】
少なくとも一実施形態では、隆起部３０８は、本体部３０２から離れたカバーラッチ３０４、３０６の端３０４ａ、３０６ａにおいてその上面３１６上に配置される第２キャッチ部３１４を含む。第２キャッチ部３１４は、コネクタハウジングに対してカバーラッチ３０４、３０６を固定するために、例えば、コネクタハウジング１００のキャッチ部１３６のようなコネクタハウジングのキャッチ部によって撓まされ、係合するように構成される。一実施形態では、第２キャッチ部３１４がコネクタハウジングのキャッチ部と係合すると、カバー３００は、例えば、図１０ｂに示すように、開位置に保持される。一態様では、第２キャッチ部３１４がコネクタハウジングのキャッチ部と係合すると、カバー３００がコネクタハウジングから偶発的に分離することが防止される。
【００３６】
少なくとも一実施形態では、各カバーラッチ３０４、３０６は、本体部３０２に取り付けられたベース部３１８、及び第２の方向でベース部３１８から延在している対向する一対のラッチアーム３２０を更に含む。少なくとも一態様では、カバー３００がコネクタハウジングにしっかりと取り付けられているとき、ラッチアーム３２０を、例えば、ヒト指と親指との間で圧縮するなどして互いに向かって撓ませ、カバー３００を損傷せずに解放し、取り外すことができる。
【００３７】
少なくとも一実施形態では、カバーラッチ３０４、３０６は、導電体を支持するように構成された対向する導電体支持面３２２を含む。少なくとも一態様では、導電体支持面３２２は、従来のリボンケーブルコネクタに一般的な外側導電体での高抵抗の故障をなくすように、リボンケーブルの外側導電体を確実に支持するように構成される。
【００３８】
少なくとも一実施形態では、本体部３０２は、その底面３２６において、第２の方向に対して垂直の横断方向に延在している複数の導電体溝３２４を更に含む。導電体溝３２４は、導電体に適応するように構成される。少なくとも一実施形態では、導電体溝３２４は、導電体の断面形に実質的に対応する断面形を有する。少なくとも一態様では、カバー３００の導電体溝３２４とコネクタハウジング１００の導電体溝１４２は協働して、例えば、電気接触端子２００に対して導電体を位置づけ、保持する。
【００３９】
少なくとも一実施形態では、本体部３０２は、第２の方向でその内部に延在している複数の接触開口部を更に含む。接触開口部３２８は、例えば、電気接触端子２００のような電気接触端子の部分を受容するように構成される。少なくとも一態様において、各接触開口部３２８は、対応する電気接触端子のＩＤＣ部のための遊び及び横方向の支持を提供する。
【００４０】
少なくとも一実施形態では、電気コネクタ１は、例えば、個別の導電体のような少なくとも１つの導電体、又は例えば、電気ケーブル４００（図１）の導電体４０２のような、電気ケーブルの一部である導電体を、更に含む。図１を参照すると、電気ケーブル４００は、絶縁材に取り囲まれている複数の平行に離間配置された導電体４０２を含む。電気ケーブル４００は、従来の平らなリボンケーブルでもよく、又は任意の他の好適な電気ケーブルでもよい。電気ケーブル４００は、任意の好適なピッチで離間配置される任意の好適な数の導電体４０２を有し得る。電気コネクタ１の代表的な一実施形態では、電気ケーブル４００は、０．０５０”×０．０５０”（１．２７ｍｍ×１．２７ｍｍ）のピッチ（図３）で離間配置された２×１０の電気接触端子２００に終端される、０．０２５”（０．６３５ｍｍ）のピッチ（図１）で離間配置された２０個の導電体４０２を含む。導電体４０２は、例えば、２８ＡＷＧソリッドワイヤ又は３０ＡＷＧソリッドワイヤ又は例えば、最高１９本の撚り線を含み得る撚り線など、任意の好適なワイヤ構成を有し得る。導電体の周囲は、例えば、０．０２５”（０．６３５ｍｍ）ピッチのケーブルに対して約０．０２２”（０．５５９ｍｍ）〜約０．０２８”（０．７１１ｍｍ）の範囲の直径など、任意の好適な直径を有する絶縁材で巻くことができる。
【００４１】
少なくとも一実施形態では、電気コネクタ１は、例えば、電気ケーブル４００のような電気ケーブルのためのストレインリリーフを更に含む。ストレインリリーフは、終端した電気ケーブルをしっかりと保持するように構成され、例えば、電気ケーブルの取り扱い又は移動中に、コネクタハウジングにしっかりと取り付けられているときに終端に支障を来たすことを防止する。一態様では、ストレインリリーフの設計は、より低い全高の電気コネクタを要求するものであり、強く安定したストレインリリーフを提供する。図１１ａ〜１１ｂは、本発明の態様によるストレインリリーフの代表的な実施形態を図示し、図１３は、組み立てられた構成での、本発明の態様によるストレインリリーフ及びコネクタハウジングを図示する。
【００４２】
図１１ａ〜１１ｂを参照すると、ストレインリリーフ５００は、長手方向のベース部５０２と、ベース部５０２の対向する横方向の側面５０２ｃ、５０２ｄから延在している対向する第１及び第２のストレインリリーフラッチ５０６と、を含む。少なくとも一態様では、ストレインリリーフ５００は、電気コネクタハウジング１００とともに使用され、第１及び第２のストレインリリーフラッチ５０６は、横方向の両側面５０２ｃ、５０２ｄから、概ね挿入方向Ａで延在している。長手方向のベース部５０２は、その長手方向の両側面５０２ａ、５０２ｂから上方に延在する曲面側部５０４を含む。少なくとも一態様では、曲面側部５０４は、ストレインリリーフ５００に剛性を加える一方で、なおストレインリリーフ５００が、従来の多くのストレインリリーフよりも低い輪郭（より小さい厚さ）を有することを可能にする。図１１ａ〜１１ｂに示す実施形態では、ベース部５０２は、長手方向の平面中間部５２２と、中間部５２２の対向する長手方向側面５２２ａ、５２２ｂから上方に延在している曲面側部５０４と、を含む。
【００４３】
各ストレインリリーフラッチ５０６は、ベース部５０２の横方向の側面５０２ｃ、５０２ｄから延在している曲面接続部５０８を含み、最初に上方に曲がってから下方に曲がり、下方に延在しているアーム部５１０にて終端する。少なくとも一態様では、ストレインリリーフ５００が電気コネクタハウジング１００とともに使用されるとき、アーム部は挿入方向Ａで延在する。アーム部５１０は、電気コネクタへのストレインリリーフ５００の確実な取り付けに適応するように、弾力的に外方に撓むように構成される。少なくとも一態様では、曲面接続部５０８は、ストレインリリーフ５００がストレインリリーフラッチ５０６を降伏させずに電気コネクタに容易に設置され得るように、例えば、０．０１５”（０．３８ｍｍ）などのアーム部５１０の好適な撓みに寄与する。少なくとも一実施形態では、低い輪郭及び強く安定したストレインリリーフを可能にするために、ベース部５０２とストレインリリーフラッチ５０６とは、シートメタルから一体形成される。使用可能な代表的なシートメタル材料はステンレス鋼であるが、意図する用途に好適なものとして、他の好適な材料を選択してもよい。少なくとも一態様では、ストレインリリーフ５００がより狭い幅を有し得るように材料特性が選択され、嵌合式コネクタのラッチ機構に必要とされる追加的な幅を最小限にする。
【００４４】
少なくとも一実施形態では、アーム部５１０は、その両側面５１４に配置された互いに反対側の凹部５１２を含む。凹部５１２は、例えば、図１３に最も良く図示されているように、例えば、コネクタハウジング１００の隆起部１１０の傾斜した側面１１８のような、電気コネクタの隆起部の傾斜した側面に適応するように構成される。したがって、凹部５１２は、ストレインリリーフ５００をコネクタハウジング１００に確実に取り付けるために、アーム部５１０が隆起部１１０の端部１２０と係合することを可能にする。少なくとも一態様では、コネクタハウジング１００へのストレインリリーフ５００の設置中、アーム部５１０は傾斜した側面１１８と係合し、結果として、外方に弾力的に撓む。次いでそれは、端部１２０と係合して、設置を完了し、ストレインリリーフ５００をコネクタハウジング１００に確実に取り付ける。少なくとも一実施形態では、電気コネクタ１へのストレインリリーフ５００の組み立てに適応するように、ストレインリリーフラッチ５０６は、アーム部５１０の端５１０ａに位置づけられた対向する傾斜面５２６を含む。
【００４５】
少なくとも一実施形態では、接続部５０８は、本明細書で周辺の閉じた第１の開口部とも呼ばれる開口部５１６を含む。開口部５１６は、図２に最も良く図示されているように、例えば、電気コネクタ２のラッチ９００（図１７ａ〜１７ｃ）の固定部９０８のような、嵌合式電気コネクタのラッチの一部を受容するように構成されている。少なくとも一態様では、開口部５１６は、電気コネクタ２のコネクタハウジング６００にストレインリリーフ５００を固定するために、固定部９０８を受容する。
【００４６】
少なくとも一実施形態では、アーム部５１０は、本明細書で周辺の閉じた第２の開口部とも呼ばれる開口部５２４を含む。開口部５２４は、アーム部５１０の可撓性を増すように構成される。開口部５２４は、例えば、（図１１ａに示されているような）レーストラック形、曲線形状、又は直線形状など、任意の好適な形を有し得る。少なくとも一態様では、開口部５２４は、応力をストレインリリーフラッチ５０６全体により均等に分布することに寄与し、例えば、ストレインリリーフ５００の設置中などに、降伏を伴わないストレインリリーフラッチ５０６の適切な撓みを可能にする。少なくとも一実施形態では、周辺の閉じた第２の開口部５２４を含まないことを除いて同じ構造を有するラッチと比較したときに、外方に撓んだラッチに、より小さい最大応力がもたらされるように、周辺の閉じた第１の開口部５１６は、周辺の閉じた第２の開口部５２４と長手方向のベース部５０２との間に配置される。少なくとも一実施形態では、周辺の閉じた第２の開口部５２４に隣接する領域には、周辺の閉じた第２の開口部５２４を含まないことを除いて同じ構造を有するラッチと比較したときに、より大きい最大応力がもたらされる。
【００４７】
このことは、開口部５２４を有するストレインリリーフラッチ５０６（図１９ａ）及び、開口部５２４を有さないことを除いて全く同じストレインリリーフラッチ５０６（図１９ｂ）における、最大応力を図示するグラフである図１９ａ〜１９ｂに明確に示されている。これらのグラフは、ストレインリリーフのＣＡＤ形状から有限要素法（ＦＥＡ）モデルを最初に生成することにより、生成された。次いで、モデルをＦＥＡモデリングソフトウェア（Ｓｉｍｕｌｉａ（Ｐｒｏｖｉｄｅｎｃｅ，ＲＩ，Ｕ．Ｓ．Ａ．）からＡｂａｑｕｓ  ＦＥＡの商標で入手可能）にインポートした。変位負荷制限を用い、ゼロ変位をベース部５０２に付加することにより、空間でのストレインリリーフを固定した。次いで、コネクタに設置されたときのラッチの接触面を表す端から上のポイントで、ストレインリリーフラッチ５０６に最高０．０１５”（０．３８ｍｍ）までの外方変位を付加した。次いで、運動範囲を通してモデリングソフトウェアでストレインリリーフを検討し、得られた応力及び歪みを表示した。グラフに図示されているように、開口部５２４の存在は最大応力を改善し、材料の降伏点からの安全マージンを追加する。少なくとも一実施形態では、最大応力は少なくとも１％低い。少なくとも一実施形態では、最大応力は少なくとも５％低い（図のように、１３３Ｋｐｓｉに対して１２７Ｋｐｓｉ（９１７ＭＰａに対して８７５．６ＭＰａ）である）。グラフに図示されているように、開口部５２４の存在はまた、開口部５２４に隣接する領域の最大応力の増加により示されているように、小さい領域に応力を集中させずに、むしろ、より大きい面積にかけて応力を分配する。少なくとも一実施形態では、最大応力は少なくとも１％高い。少なくとも一実施形態では、最大応力は少なくとも５％高い。
【００４８】
少なくとも一態様では、ストレインリリーフ５００及びコネクタハウジング１００は、嵌合式電気コネクタ１が、例えば、ストレインリリーフ５００を伴い又は伴わずに電気コネクタ２のような同じ電気コネクタと嵌合することができるように設計される。少なくとも一態様では、ストレインリリーフ５００及びコネクタハウジング１００は、例えば、ラッチ９００のような同じラッチが、ストレインリリーフ５００を伴い又は伴わずに電気コネクタにラッチすることができるように設計される。
【００４９】
図１２は、本発明の一態様によるストレインリリーフの別の代表的な実施形態を示す。図１２を参照すると、ストレインリリーフ５００’はストレインリリーフ５００と類似している。図１２において、ストレインリリーフ５００の要素と類似しているストレインリリーフ５００’の要素は、同じ番号を有するが、ストレインリリーフ５００’とのそれらの関係を示すためにプライム記号（’）とともに提供されている。図１２に示す実施形態では、ベース部５０２’は、平面のレーストラック形状部５２０’に囲まれている中空のドーム形状部５１８’を含み、曲面側部５０４’は、レーストラック形状部５２０’の長手方向の両側面５２０ａ’、５２０ｂ’から上方に延在している。少なくとも一態様では、中空のドーム形状部５１８’は、ストレインリリーフ５００’に剛性を加える一方で、なおストレインリリーフ５００’が従来の多くのストレインリリーフよりも低い輪郭（より小さい厚さ）を有することを可能にする。
【００５０】
図１４〜１５は、本発明の態様による電気コネクタの代表的な実施形態を示している。図１４〜１５を参照すると、電気コネクタ２は、絶縁性コネクタハウジング６００と、コネクタハウジング６００内で支持されている複数の電気コンタクトピン７００と、を含む。少なくとも一実施形態では、電気コネクタ２は、第１及び第２の保持クリップ８００並びに／又は第１及び第２のラッチ９００及びピボットピン１０００を更に含む。
【００５１】
図１６ａ〜１６ｅは、本発明の態様による絶縁性コネクタハウジングの代表的な実施形態を示している。図１６ａ〜１６ｅを参照すると、絶縁性コネクタハウジング６００は、複数の接触開口部６０４を有する長手方向の底壁６０２を含む。少なくとも一実施形態では、電気コネクタ２は、接触開口部６０４を通じて挿入方向Ａで延在している複数の電気コンタクトピン７００を含む。コネクタハウジング６００は、底壁６０２の両側６０２ａ、６０２ｂで底壁６０２から上方に延在している第１及び第２の側壁６０６、６０８、及び底壁６０２の両端６０２ｃ、６０２ｄで底壁６０２から上方に延在している第２の端壁６１０、６１２を更に含む。少なくとも一実施形態では、側壁６０６、６０８と端壁６１０、６１２は、嵌合式コネクタの係合に適応するように構成された面取６３２を含む。少なくとも一態様では、面取６３２は、嵌合中にコネクタハウジング６００に嵌合式コネクタを案内するのを助ける。
【００５２】
コネクタハウジング６００は、底壁６０２の両端６０２ｃ、６０２ｄに、第１及び第２の対のラッチ開口部６１４、６１６を更に含む。各ラッチ開口部は、底壁６０２を通り、側壁を通って延在し、開口部内での移動によって、例えば、ラッチ９００のようなラッチが、例えば、嵌合式電気コネクタのような嵌合式コネクタを排出することを可能にするように構成される。少なくとも一実施形態では、ラッチ開口部は、ラッチの枢動に適応するように形作られる。少なくとも一態様では、第１及び第２のラッチ９００が存在する電気コネクタ２の構成において、第１及び第２の対のラッチ開口部６１４、６１６の存在は、ラッチ９００がピン領域と、すなわち、電気コネクタ２の電気コンタクトピンを受容するように構成された区域と係合することを可能にし、電気コネクタ２のこの構成の全長を低減することを可能にする。例えば、少なくとも一実施形態では、コネクタハウジングは、約３６ｍｍ未満の長さを有し、少なくとも５０個の接触開口部を含み、ラッチは、約３０％未満を電気コネクタの長さに加える。ラッチ９００をコネクタハウジング６００に統合することのこの利点は、図１５に最も良く示されている。少なくとも一態様では、ラッチ９００は、電気コネクタ２のピン領域と係合して、電気コネクタ２から嵌合式コネクタを排出する。これに適応するために、少なくとも一実施形態では、ラッチ開口部は、側壁６０６、６０８を越えて底壁６０２内に延在している。少なくとも一実施形態では、底壁６０２の一部は、ラッチ開口部６１４、６１６の第１及び第２の対の少なくとも一方の間に位置づけられて、図１６ｄ〜１６ｅに最も良く図示されているように、ピン領域がラッチ開口部の対の間の区域を含むように拡張されるのを可能にする。
【００５３】
少なくとも一実施形態では、底壁６０２は、コネクタハウジング６００の両端６００ｃ、６００ｄにおいて、そこから下方に延在している第１及び第２の端隆起部６１８、６２０を更に含む。少なくとも一実施形態では、底壁６０２は、コネクタハウジング６００の両端６００ｃ、６００ｄの間で、そこから下方に延在している少なくとも１つの中央隆起部６２２を更に含む。少なくとも一態様では、第１及び第２の端隆起部６１８、６２０は、プリント回路基板（図示せず）上に適切にコネクタハウジング６００を支持するように構成され、コネクタハウジング６００の底壁６０２とプリント基板との間に適した空間を作り出し、例えば、電気コンタクトピンの半田付けを可能にし、又はコネクタハウジング６００の下のプリント回路基板構成要素の存在を可能にし、又はラッチ９００の存在及び枢動を可能にする。第１及び第２の端隆起部６１８、６２０及び中央隆起部は、任意の好適な高さを有することができる。
【００５４】
少なくとも一実施形態では、底壁６０２は、その両端６００ｃ、６００ｄに係合縁６２４を更に含む。係合縁６２４は、例えば、ラッチ９００（図１７ａ〜１７ｃ）の第２部９２４のようなラッチの一部と係合するように形成される。少なくとも一態様では、係合縁６２４は、開位置へのラッチ９００の移動を制限するように、ラッチのための停止具を提供する。少なくとも一実施形態では、底壁６０２は、それぞれのラッチ開口部の背後に、その側面６４８の摩擦バンプ凹部６４６を含む。摩擦バンプ凹部６４６は、例えば、ラッチ９００（図１７ａ〜１７ｃ）の摩擦バンプ９１６のようなラッチの摩擦バンプを受容するように構成される。少なくとも一態様では、摩擦バンプ凹部６４６は、摩擦バンプのための遊びを提供して、例えば、コネクタハウジング６００へのラッチの設置、又は図１５に示すようにラッチが閉じた又はロックされた位置のときのラッチの設置を容易にする。
【００５５】
少なくとも一実施形態では、側壁６０６、６０８は、コネクタハウジング６００の両端６００ｃ、６００ｄの間の導電体凹部６２６を含む。導電体凹部６２６は、例えば、電気ケーブル４００の導電体４０２のような導電体の一部を受容するように構成される。少なくとも一態様では、導電体凹部６２６は、図２に最も良く図示されているように、電気コネクタ２と嵌合式電気コネクタ１との嵌合された構成の輪郭又は全高をより低くすることに寄与する。
【００５６】
少なくとも一実施形態では、側壁６０６は、その中間に方向付け開口部６２８を含む。方向付け開口部６２８は、例えば、嵌合式電気コネクタ１のコネクタハウジング１００の方向付け要素１４４のような、嵌合式コネクタの方向付け要素の一部を受容するように構成される。方向付け開口部６２８と方向付け要素との組み合わせは、嵌合式電気コネクタが、電気コネクタ２に誤って嵌合されること（すなわち、挿入方向Ａの周囲で１８０度回転すること）を防ぐ。少なくとも一実施形態では、側壁６０６は、方向付け開口部６２８内に延在している一対の係合要素６５０を含む。係合要素６５０は、例えば、嵌合式電気コネクタ１のコネクタハウジング１００の方向付け要素１４４のような、嵌合式コネクタの方向付け要素と摩擦係合するように構成された内面６５２を含む。この例では、内面６５２は、方向付け要素１４４のより短い隆起部１５０と摩擦係合するように構成される。少なくとも一態様では、これは、嵌合式電気コネクタを電気コネクタ２に確実に取り付けることを可能にするものであり、これは、別個のラッチ／排出機構が欠如している場合に特に有用である。少なくとも一実施形態では、側壁６０８は、その内面６０８ａから延在している係合傾斜面６３０を含む。係合傾斜面６３０は、例えば、嵌合式電気コネクタ１のような嵌合式コネクタと係合するように構成される。少なくとも一態様では、コネクタハウジング６００内の嵌合式電気コネクタ１の挿入中に、側壁６０８上の係合傾斜面６３０が嵌合式電気コネクタ１を側壁６０６の方へ方向付けて、方向付け要素１４４のより短い隆起部１５０と、側壁６０６上の係合要素６５０の内面６５２との、適切な摩擦係合を確保する。方向付け開口部６２８、係合要素６５０、及び係合傾斜面６３０は、いずれかの側壁の任意の好適な場所にあってよい。
【００５７】
少なくとも一実施形態では、端壁６１０、６１２は、コネクタハウジング６００の両側面６００ａ、６００ｂの間に位置づけられたスロット６３４を含む。スロット６３４は、例えば、ラッチ９００（図１７ａ〜１７ｃ）の摩擦ロック９３０のようなラッチの摩擦ロックと摩擦係合するように構成される。スロット６３４と摩擦ロックとの組み合わせは、ラッチを、例えば、図１５に図示されているように、閉じた又はロックされた位置に保持し、そうすることによって嵌合式コネクタを電気コネクタ２に確実にロックしたまま保ち、ラッチに横方向の安定性をもたらし、例えば、嵌合式コネクタに取り付けられている電気ケーブルが引っ張られたときに、横方向の力及び挿入方向Ａにおける力に抵抗する。少なくとも一実施形態では、スロット６２４は曲線状の形を有し、摩擦ロックはそれに対応する形を有する。
【００５８】
少なくとも一実施形態では、電気コネクタ２は、コネクタハウジング６００の両端６００ｃ、６００ｄでコネクタハウジング６００に取り付けられた第１及び第２の保持クリップ８００を含む。少なくとも一実施形態では、コネクタハウジング６００の端壁６１０、６１２は、保持クリップリテーナ６３６を含む。少なくとも一実施形態では、保持クリップリテーナ６３６は、コネクタハウジング６００と一体形成される。保持クリップリテーナ６３６は、挿入方向Ａにそれを通じて延在している保持クリップ開口部６３８を含む。保持クリップ開口部６３８は、例えば、保持クリップ８００（図１４）のような保持クリップの一部を受容するように構成される。保持クリップ８００は、電気コネクタ２をプリント回路基板に保持するように機能する。保持クリップ８００は、任意の構成要素である。電気コネクタ２を任意の他の好適な方法又は構造物によってプリント回路基板に保持してもよい。例えば、電気コネクタ２は、例えば、半田付け又はプレス嵌めなどによって、電気コンタクトピン７００だけでプリント回路基板に保持され得る。したがって、電気コネクタハウジング６００の少なくとも一実施形態では、保持クリップリテーナ６３６は省かれる。少なくとも一態様では、保持クリップリテーナ６３６を省くことは、コネクタハウジング６００の長さを短縮する。これは、電気コネクタ２の全長を短縮するので、第１及び第２ラッチ９００が存在しない電気コネクタ２の構成においては、特に有益である。
【００５９】
少なくとも一実施形態では、絶縁コネクタハウジング６００は、コネクタハウジング６００の両端６００ｃ、６００ｄにて挿入方向Ａに対して垂直の横断方向に底壁６０２を通じて延在している第１及び第２のピボットピン穴６４０、６４２を更に含む。ピボットピン穴６４０、６４２は、例えば、ピボットピン１０００（図１４）のようなピボットピンの一部を受容するように構成される。少なくとも一実施形態では、ピボットピン穴６４０、６４２は、ピボットピンを位置づけ、保持するように構成された制限された部分６４４を含む。例えば、ピボットピン１０００を位置づけ、保持するために、ピボットピン穴６４０、６４２は、ピボットピン１０００の凹部１００２に対応する制限された部分６４４を含む。少なくとも一態様では、ピボットピン穴６４０、６４２へのピボットピン１０００の挿入中、最初に、ピボットピン１０００の端部が、制限された部分６４４と摩擦係合し、その後、凹部１００２が、制限された部分６４４と係合して、ピボットピン１０００をコネクタハウジング６００内に位置づけ、枢動可能に保持する。
【００６０】
少なくとも一実施形態では、電気コネクタ２は、コネクタハウジングの両端６００ｃ、６００ｄでコネクタハウジング６００に枢動可能に取り付けられた第１及び第２のラッチを更に含む。それぞれのラッチは、例えば、嵌合式電気コネクタ１のような嵌合式コネクタをコネクタハウジング６００に固定し、コネクタハウジング６００から嵌合式コネクタを排出するように、構成される。ラッチとコネクタハウジング６００との協働構成の利点としては、数例を挙げると、１）ラッチの存在の有無に関わらず同じ電気コネクタ２の幅、２）ラッチの存在による増加が最小限である、電気コネクタ２の全長、３）ラッチの存在の有無に関わらず、コネクタハウジング６００の端壁６１０、６１２が存在できること（これは、同じコネクタハウジング６００の使用を可能にし、したがって、両方のコネクタ構成に関して同じ長手方向の整列及び見なくても嵌合できる能力をもたらす）、４）コネクタのサイズ及びコストの有意な低減など、が挙げられる。
【００６１】
ストレインリリーフが存在する嵌合式コネクタの構成では、各ラッチは、ストレインリリーフをコネクタハウジング６００に更に固定するように構成される。少なくとも一態様では、ラッチは、有利にも、ストレインリリーフの存在の有無に関わらず同じやり方で動作する。
【００６２】
ラッチは任意の構成要素である。嵌合式コネクタを任意の他の好適な方法又は構造物によってコネクタハウジング６００に固定すること及び取り外すことができる。例えば、嵌合式コネクタを、例えば、嵌合式電気コネクタ１のコネクタハウジング１００のより短い隆起部１５０と、コネクタハウジング６００の内面６５２との組み合わせのような摩擦ロック機構によって、コネクタハウジング６００に固定してもよい。また、嵌合式コネクタを、例えば、コネクタハウジング１００のフランジ１３０にてヒト指と親指との間で嵌合式電気コネクタ１を締め付けることによってなど、手動力によってコネクタハウジング６００から取り外してもよい。
【００６３】
図１７ａ〜１７ｃは、本発明の態様によるラッチの代表的な実施形態を示している。図１７ａ〜１７ｃを参照すると、少なくとも一態様では、ラッチ９００は、例えば、嵌合式電気コネクタ１のような嵌合式コネクタをコネクタハウジング６００に固定し、嵌合式コネクタをコネクタハウジング６００から排出するように構成される。ラッチ９００は、ヒンジ部９０２と、第１方向に沿ってヒンジ部９０２の第１側面９０２ａから延在しているアーム部９０４と、第１方向と異なる第２方向に沿ってヒンジ部９０２の互いに反対側の第２側面９０２ｂから延在している一対の別個の離間配置されたヒンジアーム９０６と、を含む。
【００６４】
ヒンジ部９０２は、ラッチ９００をコネクタハウジング６００に枢動可能に取り付けるように構成される。少なくとも一実施形態では、ヒンジ部９０２は、第１方向に対して垂直の横断方向にそれを通じて延在しているピボット穴９１２を含む。ピボット穴９１２は、例えば、ピボットピン１０００のようなピボットピンを受容するように構成される。少なくとも一態様では、ラッチ９００のピボット穴９１２とコネクタハウジング６００のピボット穴６４０、６４２と、ピボットピン１０００との組み合わせは、確実な自由移動ラッチ９００及び低コストのヒンジ機構を提供する。
【００６５】
少なくとも一実施形態では、アーム部９０４は、その内面９２８に凹部９２６を含む。凹部９２６は、例えば、保持クリップリテーナ６３６のような保持クリップリテーナに適応するように構成される。少なくとも一態様では、凹部９２６は、例えば、図１５に示すように、ラッチ９００が保持クリップリテーナ６３６からの干渉を受けずに閉じた又はロックされた位置に移動され得るように、保持クリップリテーナ６３６のための十分な遊びを提供する。少なくとも一実施形態では、アーム部９０４は、その内面９２８から延在している摩擦ロック９３０を含む。摩擦ロック９３０は、例えば、端壁６１０、６１２のスロット６３４のような、コネクタハウジング６００の端壁のスロットと摩擦係合するように構成される。それによって、摩擦ロック９３０と、閉じた又はロックされた位置にあるスロット保持ラッチ９００との組み合わせは、嵌合式コネクタを電気コネクタ２に確実にロックして保持し、ラッチ９００に横方向の安定性をもたらし、嵌合式コネクタに取り付けられている電気ケーブルが引っ張られたときに、横方向の力及び挿入方向Ａにおける力に抵抗する。少なくとも一実施形態では、摩擦ロック９３０は実質的にＵ形であり、スロットはそれに対応する形を有する。
【００６６】
ヒンジアーム９０６は、コネクタハウジング６００の底壁６０２及び側壁６０６、６０８を通じて延在している対応する一対の離間配置されたラッチ開口部６１４、６１６を通じて嵌合式コネクタを排出するように構成される。少なくとも一実施形態では、ヒンジアーム９０６は、嵌合式コネクタがコネクタハウジング６００に挿入されたときにラッチ９００が枢動してロックされた又は閉じた位置になるように構成される作動面９１４を含む。この枢動に適応するために、少なくとも一実施形態では、作動面９１４は実質的に平面であり、それは、少なくとも一態様では、ヒンジアーム９０６を押し下げるときのてこ作用を増す。有利なことに、第１及び第２のラッチ９００の存在は、合計４つの作動領域を提供して、より大きい支持面を提供し、嵌合式コネクタの排出中の均等な排出を可能にし、バインディングを減らすことができる。少なくとも一実施形態では、ヒンジアーム９０６は、ラッチ９００が枢動して開位置になるときに、ヒンジアーム９０６がコネクタハウジング６００の嵌合面を越えて延び、少なくとも一態様において嵌合式コネクタの排出を可能にするように構成される。少なくとも一実施形態では、ヒンジアーム９０６は、ラッチ開口部６１４、６１６の深さと実質的に等しい厚さを有する。少なくとも一実施形態では、ヒンジアーム９０６は、底壁６０２の厚さと実質的に等しい幅を有する。少なくとも一態様では、ヒンジアーム９０６のこれらの厚さ及び幅の構成は、コネクタサイズの縮小に寄与する。少なくとも一実施形態では、ヒンジアーム９０６は、その内面９１８に配置された摩擦バンプ９１６を含む。摩擦バンプ９１６は、底壁６０２の側面６４８と摩擦係合するように構成される。少なくとも一態様では、ラッチ９００が開位置にあるとき、摩擦バンプ９１６と内面９１８との間の干渉は、ラッチが偶発的に閉じるのを防止するが、摩擦バンプ９１６を内面６４８と摩擦係合させることによって、ラッチ９００を意図的に閉じることができる。少なくとも一実施形態では、ヒンジアーム９０６は、ラッチ９００が閉位置にあるときに、その第１部９２２が底壁６０２と実質的に平行になり、ラッチ９００が開位置にあるときに、その第２部９２４が底壁６０２と実質的に平行になるように構成された、底面９２０を含む。少なくとも一態様では、電気コネクタ２がプリント回路基板に取り付けられているとき、第１部９２２及び第２部９２４がプリント回路基板と協働して、閉位置及び開位置に対応するラッチ９００の停止位置をそれぞれ提供して、電気コネクタの小型化を引き続き支援する一方で、通常の動作中のラッチ／排出機構又は電気コネクタのコネクタハウジングの損傷又は破壊の防止を助ける。
【００６７】
少なくとも一実施形態では、ラッチ９００は、固定部９０８を更に含む。固定部９０８は、第１方向と異なる第３方向に沿ってアーム部９０４から延在している。固定部９０８は、嵌合式コネクタをコネクタハウジング６００に固定するように構成される。少なくとも一態様では、コネクタハウジング６００に嵌合式電気コネクタ１を固定するとき、固定部９０８は、嵌合式電気コネクタ１のカバー３００と、具体的には第１及び第２ラッチ３０４、３０６と、係合する。少なくとも一実施形態では、固定部９０８は、例えば、ストレインリリーフ５００のようなストレインリリーフをコネクタハウジング６００に更に固定するように構成される。少なくとも一態様では、ストレインリリーフ５００の開口部５１６は固定部９０８を受容して、図２に最も良く図示されているように、電気コネクタ２のコネクタハウジング６００にストレインリリーフ５００を固定する。少なくとも一実施形態では、第３方向は、第２方向に平行である。少なくとも一実施形態では、固定部９０８は、アーム部９０４に対して実質的に垂直のコネクタ係合面９３２を含む。少なくとも一実施形態では、固定部９０８は、丸い端９３４を含む。少なくとも一態様では、固定部９０８のこれらの構成は、嵌合式コネクタ及び存在するときはストレインリリーフの適正な係合及び固定を確保する。
【００６８】
少なくとも一実施形態では、ラッチ９００は、アーム部９０４から延在している作動部９１０を更に含む。作動部９１０は、ラッチ９００を作動するように構成される。少なくとも一態様では、作動部９１０は、例えば、閉じた又はロックされた位置から開位置に、及びその逆に移動するなどのラッチ９００の手動操作を容易にすることができる。ラッチ９００の容易な手動操作に適応するために、例えば、作動部９１０の幅は、少なくとも一実施形態では、作動部９１０がアーム部９０４から延在するにつれて増し、少なくとも一実施形態では、作動部９１０は、第１方向と異なる第４方向に沿ってアーム部９０４から延在する。
【００６９】
少なくとも一実施形態では、アーム部９０４の幅、ヒンジ部９０２の幅、作動部９１０の最大幅、及びコネクタハウジング６００の幅は、実質的に同じである。少なくとも一態様では、これは、ラッチ９００が存在する電気コネクタ２の構成の全幅の縮小をもたらす。
【００７０】
図１８は、嵌合式電気コネクタ１、及び嵌合した構成での電気コネクタ２を示す。具体的には、図１８は、少なくとも一実施形態において電気ケーブル４００の導電体４０２が、どのようにコネクタハウジング１００とカバー３００との間に保持され、コネクタハウジング１００内で支持されている電気接触端子２００に電気的に接続されるかを示している。それはまた、少なくとも一実施形態において電気ケーブル４００の導電体４０２が、どのようにカバー３００とストレインリリーフ５００との間で更に保持されるかも示している。
【００７１】
以下は、本発明の態様による電気接触端子の代表的な実施形態である。
実施形態１は、電気接触端子であって、コネクタハウジング内に電気接触端子を位置づけ、保持するためのベース部と、ベース部から上方に延在し、且つ、導電体を受容して導電体と電気接触するための開口部を間に画定する一対の離間配置されたアームを備えている、絶縁変位接続部と、ベース部から下方に延在し、且つ、電気接触端子がコネクタハウジング内に保持及び配置されているときに浮かぶように構成された、接触部と、を備え、接触部が、ベース部に取り付けられた第１端、及び反対側の第２端を備える、下方に延在している第１アームと、ベース部により近い自由な第１端、及びベース部からより遠い反対側の第２端を備える、下方に延在している第２アームであり、嵌合式コンタクトピンと電気接触するときに撓むように構成されている第２アームと、第１アームの第２端と第２アームの第２端とを接続する弓形ベース部と、を含む、電気接触端子である。
【００７２】
実施例２は、第１アーム及び弓形ベース部の少なくとも一方が、第２アームが嵌合式コンタクトピンと電気接触するときに撓むように構成されている、実施形態１の電気接触端子である。
【００７３】
実施形態３は、その撓みが、第１アームの長手方向軸線の周りの回転を含む、実施形態２の電気接触端子である。
【００７４】
実施形態４は、第２アームの幅が、第２アームの第２端から第２アームの自由な第１端まで先細になっている、実施形態１の電気接触端子である。
【００７５】
実施形態５は、第１アームと第２アームが同一平面内に位置していない、実施形態１の電気接触端子である。
【００７６】
実施形態６は、嵌合式コンタクトピンと接触するときに第２アームが撓むと、その撓みが、第１アームまで拡がる応力分布を生成する、実施形態１の電気接触端子である。
【００７７】
実施形態７は、応力分布が、約０ｐｓｉ〜約１６５Ｋｐｓｉ（約０ＭＰａ〜約１１３７．６ＭＰａ）の範囲である、実施形態６の電気接触端子である。
【００７８】
実施形態８は、応力分布が約２５Ｋｐｓｉ〜約１６５Ｋｐｓｉ（約１７２．４ＭＰａ〜約１１３７．６ＭＰａ）の範囲である、実施形態６の電気接触端子である。
【００７９】
実施形態９は、接触部がＪ形である、実施形態１の電気接触端子である。
【００８０】
実施形態１０は、接触部がＵ形である、実施形態１の電気接触端子である。
【００８１】
実施形態１１は、接触部が降伏せずに約２５０グラム（２．５Ｎ）の垂直力に耐え得る、実施形態１の電気接触端子である。
【００８２】
実施形態１２は、第２アームが、自由な第１端に位置づけられた曲線状接触部を含む、実施形態１の電気接触端子である。
【００８３】
実施形態１３は、接触部がベース部に背を向けている、実施形態１２の電気接触端子である。
【００８４】
実施形態１４は、第２アームが、第２アームの剛性を増すように構成されたリブを含む、実施形態１の電気接触端子である。
【００８５】
実施形態１５は、第２アームが、嵌合式コンタクトピンと電気接触するときにベース部の主面に向かって撓むように構成される、実施形態１の電気接触端子である。
【００８６】
実施形態１６は、ベース部が、コネクタハウジング内に電気接触端子を保持し位置づけるように構成された第１保持部を含む、実施形態１の電気接触端子である。
【００８７】
実施形態１７は、第１保持部がシェル形状部を含む、実施形態１６の電気接触端子である。
【００８８】
実施形態１８は、第１保持部が、電気接触端子の第１主面から延在し、コネクタハウジング内に電気接触端子を保持し長手方向に位置づけるように構成される、実施形態１６の電気接触端子である。
【００８９】
実施形態１９は、第１保持部が、導電体の終端中に電気接触端子の下向きの移動を防止するように構成される、実施形態１６の電気接触端子である。
【００９０】
実施形態２０は、ベース部が、コネクタハウジング内に電気接触端子を保持し位置づけるように構成された第２保持部を含む、実施形態１の電気接触端子である。
【００９１】
実施形態２１は、第２保持部が楔形状部を含む、実施形態２０の電気接触端子である。
【００９２】
実施形態２２は、第２保持部がベース部の側面から延在し、コネクタハウジング内に電気接触端子を保持し横方向に位置づけるように構成される、実施形態２０の電気接触端子である。
【００９３】
実施形態２３は、第１アームが、コネクタハウジング内に電気接触端子を保持し位置づけるように構成された第３保持部を含む、実施形態１の電気接触端子である。
【００９４】
実施形態２４は、第３保持部が曲面部を含む、実施形態２３の電気接触端子である。
【００９５】
実施形態２５は、第３保持部が電気接触端子の第２主面から延在し、コネクタハウジング内に電気接触端子を保持し横方向に位置づけるように構成される、実施形態２３の電気接触端子である。
【００９６】
実施形態２６は、第１アームとベース部が同一平面内に位置していない、実施形態１の電気接触端子である。
【００９７】
実施形態２７は、第２アームが、自由な第１端に位置づけられた曲線状接触部を含む、実施形態２６の電気接触端子である。
【００９８】
実施形態２８は、接触部がベース部の方を向いている、実施形態２７の電気接触端子である。
【００９９】
実施形態２９は、第２アームが、嵌合式コンタクトピンと電気接触するときにベース部の主面から離れて撓むように構成される、実施形態２６の電気接触端子である。
【０１００】
実施形態３０は、電気接触端子であって、ベース部と、ベース部から上方に延在し、且つ、導電体を受容して導電体と電気接触するための開口部を間に画定する一対の離間配置されたアームを備えている、絶縁変位接続部と、ベース部から下方に延在し、且つ、電気接触端子がコネクタハウジング内に保持及び位置づけられているときに浮かぶように構成されている、接触部と、を備え、この接触部が、ベース部に取り付けられている接触部の第１端で前方に延在している、第１アームと、接触部の反対側の第２端にて前方に延在している第２アームと、を備え、第１アーム及び第２アームは、嵌合式コンタクトピンと電気接触するときに撓むように構成されている、電気接触端子である。
【０１０１】
実施形態３１は、第１アーム及び第２アームが、接触部の互いに反対側の側面に延在している、実施形態３０の電気接触端子である。
【０１０２】
実施形態３２は、第１及び第２のアームがそれぞれ、それぞれの主面から延在している曲線状接触部を含む、実施形態３０の電気接触端子である。
【０１０３】
接触部が、第１アーム及び第２アームから互いに向かって延在している、実施形態３２の電気接触端子である。
【０１０４】
本明細書に述べられる実施形態及び実行形態のそれぞれでは、電気コネクタ及びその要素の異なる構成要素は任意の好適な材料で形成される。材料は目的とする用途に応じて選択され、金属及び非金属の両方を含み得る（例えば、これらに限定されるものではないが、ポリマー、ガラス、及びセラミックスを含む非導電性材料のいずれか１つ又はこれらの組み合わせ）。少なくとも一実施形態では、例えば、ラッチ９００、並びに例えば、コネクタハウジング１００、カバー３００、及びコネクタハウジング６００などの電気絶縁構成要素のようないくつかの構成要素は、射出成形、押し出し成形、キャスティング、機械加工などの方法により、高分子材料で形成される一方、例えば、ストレインリリーフ５００及び５００’、保持クリップ８００、ピボットピン１０００、並びに例えば、電気接触端子２００、２００’及び２００”、導電体４０２、及び電気コンタクトピン７００などの導電性構成要素のような他の構成要素は、モールディング、キャスティング、鍛造、機械加工などのような方法により、金属で形成される。材料の選択は、数例を挙げると、化学物質への暴露条件、温度及び湿度条件を含む環境への暴露条件、難燃性条件、材料強度、並びに剛性などが挙げられるが、これらに限定されない要因によって決まる。
【０１０５】
特に断らないかぎり、本明細書及び「特許請求の範囲」において使用される量、諸特性の測定値などを表すすべての数は、「約」なる語によって修飾されているものとして理解されるべきである。したがって、そうではないことが示されないかぎり、本明細書及び付属の特許請求の範囲に記載される数値的パラメータは、本出願の教示を利用することで当業者が得ようとする所望の性質に応じて異なり得る近似的な値である。特許請求の範囲に対する均等論の適用を制限しようとするものではないが、それぞれの数値的パラメータは、記載される有効数字の桁数を少なくとも考慮し、更に一般的な切り捨て法を適用することによって解釈されるべきである。本発明の広義の範囲を示す数値的範囲及びパラメータは近似的な値ではあるが、任意の数値が本明細書に述べられる具体例に記載されるかぎりにおいて、これらは妥当な程度に可能な範囲で精確に記載されるものである。しかしながら、いかなる数値も試験又は測定限界にともなう誤差を含み得るものである。
【０１０６】
以上、好適な実施形態の説明を目的として特定の実施形態を本明細書に図示、説明したが、同様の目的を達成することが予想される広範な代替的且つ／又は同等の実施の態様を、本発明の範囲を逸脱することなく、図示及び説明された特定の実施形態に置き換えることができる点は当業者には認識されるであろう。機械、電気機械、及び電気分野における当業者であれば、本発明が広範な実施形態で実施され得る点は直ちに認識されるところであろう。本出願は、本明細書で検討した好ましい実施形態のあらゆる適合例又は変形例を網羅することを目的としたものである。したがって、本発明は特許請求の範囲及びその均等物によってのみ限定されるものである点を明記しておく。
【図１】
2015511379.tif 000003
【図２】
2015511379.tif 000004
【図３】
2015511379.tif 000005
【図４ａ】
2015511379.tif 000006
【図４ｂ】
2015511379.tif 000007
【図４ｃ】
2015511379.tif 000008
【図４ｄ】
2015511379.tif 000009
【図４ｅ】
2015511379.tif 000010
【図５ａ】
2015511379.tif 000011
【図５ｂ】
2015511379.tif 000012
【図５ｃ】
2015511379.tif 000013
【図６ａ】
2015511379.tif 000014
【図６ｂ】
2015511379.tif 000015
【図６ｃ】
2015511379.tif 000016
【図７ａ】
2015511379.tif 000017
【図７ｂ】
2015511379.tif 000018
【図７ｃ】
2015511379.tif 000019
【図８ａ】
2015511379.tif 000020
【図８ｂ】
2015511379.tif 000021
【図９ａ】
2015511379.tif 000022
【図９ｂ】
2015511379.tif 000023
【図９ｃ】
2015511379.tif 000024
【図９ｄ】
2015511379.tif 000025
【図９ｅ】
2015511379.tif 000026
【図１０ａ】
2015511379.tif 000027
【図１０ｂ】
2015511379.tif 000028
【図１０ｃ】
2015511379.tif 000029
【図１１ａ】
2015511379.tif 000030
【図１１ｂ】
2015511379.tif 000031
【図１２】
2015511379.tif 000032
【図１３】
2015511379.tif 000033
【図１４】
2015511379.tif 000034
【図１５】
2015511379.tif 000035
【図１６ａ】
2015511379.tif 000036
【図１６ｂ】
2015511379.tif 000037
【図１６ｃ】
2015511379.tif 000038
【図１６ｄ】
2015511379.tif 000039
【図１６ｅ】
2015511379.tif 000040
【図１７ａ】
2015511379.tif 000041
【図１７ｂ】
2015511379.tif 000042
【図１７ｃ】
2015511379.tif 000043
【図１８】
2015511379.tif 000044
【図１９ａ】
2015511379.tif 000045
【図１９ｂ】
2015511379.tif 000046
【国際調査報告】
2015511379.tif 000047
2015511379.tif 000048
2015511379.tif 000049